(57)【要約】【目的】磁気共鳴イメージング・アーチファクトを生じず且つ／又はステント内のボリュームの画像化を可能とするステントを提供する。【構成】導電性材料のパターンを含む医療装置である。導電性材料のパターンは、反アンテナ幾何形状を有し、これは医療装置のイメージング・アーチファクトを実質的に防止し、及び／又は、医療装置内のボリュームの画像化を実質的に許容する。該パターンは、複数の「８の字形状」導電体、複数の「８の字」相当導電体、複数のサイン波相当導電体、複数のジグザクパターン導電体などの複数の導電体によって形成されて、各々は連続した導電性ループ及び／又はループメッシュに織られた単一の導電体によって形成され得る。導電性材料はチタン、タンタル、ニチノール、ステンレス及び／又はＮｂＺｒであることが好ましい。【選択図】図１０
2007503260.tif 000002
【特許請求の範囲】
【請求項１】
導電性材料のパターンからなる医療用ステントであって、前記導電性材料のパターンは実質的にイメージング・アーチファクトを生じない反アンテナ形状であることを特徴とする医療用ステント。
【請求項２】
前記パターンは、複数の「８の字」形状の導電体によって形成されていることを特徴とする請求項１記載の医療用ステント。
【請求項３】
前記パターンは、複数の「８の字」相当形状の導電体によって形成されていることを特徴とする請求項１記載の医療用ステント。
【請求項４】
前記パターンは、複数のサイン波形状の導電体によって形成されていることを特徴とする請求項１記載の医療用ステント。
【請求項５】
前記パターンは、複数のジグザグパターンの導電体によって形成されていることを特徴とする請求項１記載の医療用ステント。
【請求項６】
前記パターンは、複数のジグザグパターンの導電体によって形成されていることを特徴とする請求項１記載の医療用ステント。
【請求項７】
前記パターンはループメッシュに織られた単一の導電体によって形成され、前記ループメッシュは、２つ以上の連続した「８の字」形状の導電体ループ対を形成していることを特徴とする請求項１記載の医療用ステント。
【請求項８】
前記単一の導電体は、サイン波形状であることを特徴とする請求項７記載の医療用ステント。
【請求項９】
前記単一の導電体は、ジグザグパターンであることを特徴とする請求項７記載の医療用ステント。
【請求項１０】
導電性材料のパターンからなる医療用ステントであって、前記導電性材料の前記パターンは反アンテナ幾何形状を有し、前記反アンテナ幾何形状は、実質的に前記ステント内のボリュームの画像化を可能とすることを特徴とする医療用ステント。
【請求項１１】
前記パターンは、複数の「８の字」形状の導電体によって形成されていることを特徴とする請求項１０記載の医療用ステント。
【請求項１２】
前記パターンは、複数の「８の字」相当の導電体によって形成されていることを特徴とする請求項１０記載の医療用ステント。
【請求項１３】
前記パターンは、複数のサイン波相当形状の導電体によって形成されていることを特徴とする請求項１０記載の医療用ステント。
【請求項１４】
前記パターンは、複数のジグザクパターン導電体によって形成されていることを特徴とする請求項１０記載の医療用ステント。
【請求項１５】
前記パターンは、複数の導電体によって形成され、前記導電体の各々は連続した導電体ループを有していることを特徴とする請求項１０記載の医療用ステント。
【請求項１６】
前記パターンは、ループメッシュに織り込まれた単一の導電体によって形成され、前記ループメッシュは２つ以上の連続する「８の字」形状の導電体ループ対を形成することを特徴とする請求項１０記載の医療用ステント。
【請求項１７】
前記単一の導電体は、サイン波相当形状であることを特徴とする請求項１６記載の医療用ステント。
【請求項１８】
前記単一の導電体は、ジグザグパターンであることを特徴とする請求項１６記載の医療用ステント。
【請求項１９】
導電性材料のパターンからなる医療用ステントであって、前記導電性材料の前記パターンは反アンテナ幾何形状を有し、前記反アンテナ幾何形状は、実質的に医療用ステントのイメージング・アーチファクトの形成を防止して、実質的に前記ステント内のボリュームの画像化を可能とすることを特徴とする医療用ステント。
【請求項２０】
前記パターンは、複数の「８の字」形状の導電体によって形成されていることを特徴とする請求項１９記載の医療用ステント。
【請求項２１】
前記パターンは、複数の「８の字」相当の導電体によって形成されていることを特徴とする請求項１９記載の医療用ステント。
【請求項２２】
前記パターンは、複数のサイン波相当形状の導電体によって形成されていることを特徴とする請求項１９記載の医療用ステント。
【請求項２３】
前記パターンは、複数のジグザクパターンの導電体によって形成されていることを特徴とする請求項１９記載の医療用ステント。
【請求項２４】
前記パターンは、複数の導電体によって形成されており、前記導電体の各々は連続する導電体ループを有することを特徴とする請求項１９記載の医療用ステント。
【請求項２５】
前記パターンがループメッシュに織られた単一の導体によって形成されており、前記ループメッシュは２つ以上の連続する「８の字」形状の導電性ループ対で形成されていることを特徴とする請求項１９記載の医療用ステント。
【請求項２６】
前記単一の導電体は、サイン波相当形状であることを特徴とする請求項２５記載の医療用ステント。
【請求項２７】
前記単一の導電体は、ジグザグパターンであることを特徴とする請求項２５記載の医療用ステント。
【請求項２８】
前記パターンは、複数の「Ｚ」字形状導電体によって形成されていることを特徴とする請求項１記載の医療用ステント。
【請求項２９】
前記パターンは、複数の鋸歯形状導電体によって形成されていることを特徴とする請求項１記載の医療用ステント。
【請求項３０】
前記単一の導体は、「Ｚ」字形状であることを特徴とする請求項７記載の医療用ステント。
【請求項３１】
前記単一の導体は、鋸歯形状であることを特徴とする請求項７記載の医療用ステント。
【請求項３２】
前記パターンは、複数の「Ｚ」字形状導電体によって形成されていることを特徴とする請求項１０記載の医療用ステント。
【請求項３３】
前記パターンは、複数の鋸歯形状導電体によって形成されていることを特徴とする請求項１０記載の医療用ステント。
【請求項３４】
前記単一の導電体は、「Ｚ」字形状であることを特徴とする請求項１６記載の医療用ステント。
【請求項３５】
前記単一の導電体は、鋸歯形状であることを特徴とする請求項１６記載の医療用ステント。
【請求項３６】
前記パターンは、複数の「Ｚ］字形状導電体によって形成されていることを特徴とする請求項１９記載の医療用ステント。
【請求項３７】
前記パターンは、複数の鋸歯形状導電体によって形成されていることを特徴とする請求項１９記載の医療用ステント。
【請求項３８】
前記単一の導電体は、「Ｚ」字形状であることを特徴とする請求項２５記載の医療用ステント。
【請求項３９】
前記単一の導電体は、鋸歯形状であることを特徴とする請求項２５記載の医療用ステント。
【請求項４０】
前記導電性材料はタンタルであることを特徴とする請求項１記載の医療用ステント。
【請求項４１】
前記導電性材料はニチノールであることを特徴とする請求項１記載の医療用ステント。
【請求項４２】
前記導電性材料はステンレス鋼であることを特徴とする請求項１記載の医療用ステント。
【請求項４３】
前記導電性材料はＮｂＺｒであることを特徴とする請求項１記載の医療用ステント。
【請求項４４】
前記導電性材料はチタンであることを特徴とする請求項１記載の医療用ステント。
【請求項４５】
前記導電性材料は、タンタルであることを特徴とする請求項１０記載の医療用ステント。
【請求項４６】
前記導電性材料は、ニチノールであることを特徴とする請求項１０記載の医療用ステント。
【請求項４７】
前記導電性材料は、ステンレス鋼であることを特徴とする請求項１０記載の医療用ステント。
【請求項４８】
前記導電性材料は、ＮｂＺｒであることを特徴とする請求項１０記載の医療用ステント。
【請求項４９】
前記導電性材料は、チタンであることを特徴とする請求項１０記載の医療用ステント。
【請求項５０】
前記導電性材料は、タンタルであることを特徴とする請求項１９記載の医療用ステント。
【請求項５１】
前記導電性材料は、ニチノールであることを特徴とする請求項１９記載の医療用ステント。
【請求項５２】
前記導電性材料は、ステンレス鋼であることを特徴とする請求項１９記載の医療用ステント。
【請求項５３】
前記導電性材料は、ＮｂＺｒであることを特徴とする請求項１９記載の医療用ステント
【請求項５４】
前記導電性材料は、チタンであることを特徴とする請求項１９記載の医療用ステント。
【請求項５５】
前記導電性材料は交差点を形成して、前記交差点には前記導電性材料の交差による短絡を防止するように絶縁結合材料を更に含むことを特徴とする請求項１記載の医療用ステント。
【請求項５６】
前記絶縁結合材料は、導電性材料の前記パターンに構造的な支持を与えることを特徴とする請求項５５記載の医療用ステント。
【請求項５７】
前記絶縁結合材料は、シリコン・ゴムであることを特徴とする請求項５５記載の医療用ステント。
【請求項５８】
前記絶縁結合材料は、熱可塑性プラスチックであることを特徴とする請求項５５記載の医療用ステント。
【請求項５９】
前記絶縁結合材料は、熱硬化性ポリマーであることを特徴とする請求項５５記載の医療用ステント。
【請求項６０】
前記絶縁結合材料は、ガラスであることを特徴とする請求項５５記載の医療用ステント。
【請求項６１】
前記導電性材料は交差点を形成して、前記交差点には前記導電性材料の交差による短絡を防止するように絶縁結合材料を更に含むことを特徴とする請求項１０記載の医療用ステント。
【請求項６２】
前記絶縁結合材料は、導電性材料の前記パターンに構造的な支持を与えることを特徴とする請求項６１記載の医療用ステント。
【請求項６３】
前記絶縁結合材料は、シリコン・ゴムであることを特徴とする請求項６１記載の医療用ステント。
【請求項６４】
前記絶縁結合材料は、熱可塑性プラスチックであることを特徴とする請求項６１記載の医療用ステント。
【請求項６５】
前記絶縁結合材料は、熱硬化性樹脂であることを特徴とする請求項６１記載の医療用ステント。
【請求項６６】
前記絶縁結合材料は、ガラスであることを特徴とする請求項６１記載の医療用ステント。
【請求項６７】
前記導電性材料は交差点を形成して、前記交差点には前記導電性材料の交差による短絡を防止するように絶縁結合材料を更に含むことを特徴とする請求項１９記載の医療用ステント。
【請求項６８】
前記絶縁結合材料は、導電性材料の前記パターンに構造的な支持を与えることを特徴とする請求項６７記載の医療用ステント。
【請求項６９】
前記絶縁結合材料は、シリコンゴムであることを特徴とする請求項６７記載の医療用ステント。
【請求項７０】
前記絶縁結合材料は、熱可塑性プラスチックであることを特徴とする請求項６７記載の医療用ステント。
【請求項７１】
前記絶縁結合材料は、熱硬化性ポリマーであることを特徴とする請求項６７記載の医療用ステント。
【請求項７２】
前記絶縁結合材料は、ガラスであることを特徴とする請求項６７記載の医療用ステント。
【請求項７３】
前記単一の導電体は、第１のループ／方向変化パターン／第２のループパターンを形成するように形づくられ、前記ループ／方向変化パターン／ループパターンフローの前記第１のループに誘導される電流は、前記第２のループに誘導される電流と実質的に同じ大きさで且つ反対方向であることを特徴とする請求項７記載の医療用ステント。
【請求項７４】
前記第１のループ／方向変化パターン／第２のループパターンは、第１のループ／半ヒッチ／第２のループパターンであって、前記方向変化パターンはハーフヒッチパターンであることを特徴とする請求項７３記載の医療用ステント。
【請求項７５】
前記第１のループ／方向変化パターン／第２のループパターンは、前記医療用ステントの長さ方向に沿って繰り返されることを特徴とする請求項７３記載の医療用ステント。
【請求項７６】
前記単一の導電体は、第１のループ／方向変化パターン／第２のループパターンを形成するように形づくられ、前記ループ／方向変化パターン／ループパターンフローの前記第１のループに誘導される電流は、前記第２のループに誘導される電流と実質的に同じ大きさであって反対方向であることを特徴とする請求項１６記載の医療用ステント。
【請求項７７】
前記第１のループ／方向変化パターン／第２のループパターンは、第１のループ／半ヒッチ／第２のループパターンであって、前記方向変化パターンはハーフヒッチパターンであることを特徴とする請求項７６記載の医療用ステント。
【請求項７８】
前記第１のループ／方向変化パターン／第２のループ・パターンは、前記医療用ステントの長さ方向に沿って繰り返されることを特徴とする請求項７６記載の医療用ステント。
【請求項７９】
前記単一の導電体は、第１のループ／方向変化パターン／第２のループパターンを形成するように形づくられ、前記ループ／方向変化パターン／ループパターンフローの前記第１のループに誘導される電流は、第２のループに誘導される電流と実質的に同じ大きさであって反対方向であることを特徴とする請求項２５記載の医療用ステント。
【請求項８０】
前記第１のループ／方向変化パターン／第２のループパターンは、第１のループ／半ヒッチ／第２のループパターンであって、前記方向変化パターンはハーフヒッチパターンであることを特徴とする請求項７９記載の医療用ステント。
【請求項８１】
前記第１のループ／方向変化パターン／第２のループパターンは、前記医療用ステントの長さ方向に沿って繰り返されることを特徴とする請求項７９記載の医療用ステント。
【請求項８２】
導電性材料のパターンを含む導電体構造であって、前記導電性材料のパターンは実質的にイメージング・アーチファクトを生じない反アンテナ形状であることを特徴とする導電体構造。
【請求項８３】
前記パターンは、複数の「８の字」形状導電体によって形成されていることを特徴とする請求項８２記載の導電体構造。
【請求項８４】
前記パターンは、複数のサイン波相当形状導電体によって形成されていることを特徴とする請求項８２記載の導電体構造。
【請求項８５】
前記パターンは、複数のジグザグパターン導電体によって形成されていることを特徴とする請求項８２記載の導電体構造。
【請求項８６】
前記パターンは、複数の導電体によって形成されており、前記導電体の各々は、連続する導電性ループを有することを特徴とする請求項８２記載の導電体構造。
【請求項８７】
前記パターンは、ループメッシュに織られた単一の導電体によって形成され、前記ループメッシュは２つ以上の連続する「８の字」形状導電体ループ対を形成していることを特徴とする請求項８２記載の導電体構造。
【請求項８８】
前記単一の導体は、サイン波相当形状であることを特徴とする請求項８７記載の導電体構造。
【請求項８９】
前記単一の導体は、ジグザグパターンであることを特徴とする請求項８７記載の導電体構造。
【請求項９０】
導電性材料のパターンを含む医療装置であって、前記導電性材料のパターンは実質的にイメージング・アーチファクトを生じない反アンテナ形状であることを特徴とする医療装置。
【請求項９１】
前記パターンは、複数の「８の字」形状導電体によって形成されていることを特徴とする請求項９０記載の医療装置。
【請求項９２】
前記パターンは、複数のサイン波相当形状導電体によって形成されていることを特徴とする請求項９０記載の医療装置。
【請求項９３】
前記パターンは、複数のジグザグパターン導電体によって形成されていることを特徴とする請求項９０記載の医療装置。
【請求項９４】
前記パターンは、複数の導電体によって形成されており、前記導電体の各々は連続する導電体ループを有することを特徴とする請求項９０記載の医療装置。
【請求項９５】
前記パターンは、ループメッシュに織られた単一の導電体によって形成されており、前記ループメッシュの各々は、２以上の連続する「８の字」形状導電体ループ対を形成することを特徴とする請求項９０記載の医療装置。
【請求項９６】
前記単一の導電体は、サイン波相当形状であることを特徴とする請求項９５記載の医療装置。
【請求項９７】
前記単一の導電体は、ジグザグパターンであることを特徴とする請求項９５記載の医療装置。
【請求項９８】
導電性材料のパターンからなる導電体構造であって、前記導電性材料の前記パターンは反アンテナ幾何形状を有し、前記反アンテナ幾何形状は、実質的に前記導電体構造内のボリュームの画像化を可能とすることを特徴とする導電体構造。
【請求項９９】
前記パターンは、複数の「８の字」形状導電体によって形成されていることを特徴とする請求項９８記載の導電体構造。
【請求項１００】
前記パターンは、複数のサイン波相当形状導電体によって形成されていることを特徴とする請求項９８記載の導電体構造。
【請求項１０１】
前記パターンは、複数のジグザグパターン導電体によって形成されていることを特徴とする請求項９８記載の導電体構造。
【請求項１０２】
前記パターンは、複数の導電体によって形成され、前記導電体の各々は連続した導電体ループを有することを特徴とする請求項９８記載の導電体構造。
【請求項１０３】
前記パターンは、ループメッシュに織られた単一の導電体に形成され、前記ループメッシュは、２以上の連続した「８の字」形状導電体ループ対を形成していることを特徴とする請求項９８記載の導電体構造。
【請求項１０４】
前記単一の導電体は、サイン波相当形状であることを特徴とする請求項１０３記載の導電体構造。
【請求項１０５】
前記単一の導電体は、ジグザグパターンであることを特徴とする請求項１０３記載の導電体構造。
【請求項１０６】
導電性材料のパターンからなる導電体構造であって、前記導電性材料の前記パターンは反アンテナ幾何形状を有し、前記反アンテナ幾何形状は、医療装置のイメージング・アーチファクトの形成を実質的に防止し、実質的に導電体構造内のボリュームの画像化を可能とすることを特徴とする導電体構造。
【請求項１０７】
前記パターンは、複数の「８の字」形状導電体によって形成されていることを特徴とする請求項１０６記載の導電体構造。
【請求項１０８】
前記パターンは、複数のサイン波相当形状導電体によって形成されていることを特徴とする請求項１０６記載の導電体構造。
【請求項１０９】
前記パターンは、複数のジグザグパターン導電体によって形成されていることを特徴とする請求項１０６記載の導電体構造。
【請求項１１０】
前記パターンは、複数の導電体によって形成され、前記導電体の各々は連続した導電体ループを有することを特徴とする請求項１０６記載の導電体構造。
【請求項１１１】
前記パターンは、ループメッシュに織り込まれた単一の導電体によって形成されており、前記ループメッシュは少なくとも２つ以上の連続した「８の字」形状導電体ループ対を形成することを特徴とする請求項１０６記載の導電性構造。
【請求項１１２】
前記単一の導電体は、サイン波相当形状であることを特徴とする請求項１１１記載の導電性構造。
【請求項１１３】
前記単一の導電体は、ジグザグパターンであることを特徴とする請求項１１１記載の導電性構造。
【請求項１１４】
導電性材料のパターンからなる医療装置であって、前記導電性材料の前記パターンは反アンテナ幾何形状を有し、前記反アンテナ幾何形状は、実質的に医療装置内のボリュームの画像化を可能とすることを特徴とする医療装置。
【請求項１１５】
前記パターンは、複数の「８の字」形状導電体によって形成されていることを特徴とする請求項１１４記載の医療装置。
【請求項１１６】
前記パターンは、複数のサイン波相当形状導電体によって形成されていることを特徴とする請求項１１４記載の医療装置。
【請求項１１７】
前記パターンは、複数のジグザグ形状導電体によって形成されていることを特徴とする請求項１１４記載の医療装置。
【請求項１１８】
前記パターンは、複数の導電体からなり、各導電体は連続したループを有することを特徴とする請求項１１４記載の医療装置。
【請求項１１９】
前記パターンはループメッシュに織られた単一の導電体によって形成され、前記ループメッシュは少なくとも２以上の連続した「８の字」形状導電性ループ対を形づくることを特徴とする請求項１１４記載の医療装置。
【請求項１２０】
前記単一の導電体は、サイン波相当形状であることを特徴とする請求項１１９記載の医療装置。
【請求項１２１】
前記単一の導電体は、ジグザグパターンであることを特徴とする請求項１１９記載の医療装置。
【請求項１２２】
導電性材料のパターンからなる医療装置であって、前記導電性材料の前記パターンは反アンテナ幾何形状を有し、前記反アンテナ幾何形状は前記医療装置によるイメージング・アーチファクトの形成を実質的に防止し、実質的に前記医療装置内のボリュームの画像化を可能とすることを特徴とする医療装置。
【請求項１２３】
前記パターンは、複数の「８の字」形状導電体によって形成されていることを特徴とする請求項１２２記載の医療装置。
【請求項１２４】
前記パターンは、複数のサイン波相当形状導電体によって形成されていることを特徴とする請求項１２２記載の医療装置。
【請求項１２５】
前記パターンは、複数のジグザグパターン導電体によって形成されていることを特徴とする請求項１２２記載の医療装置。
【請求項１２６】
前記パターンは、複数の導電体によって形成されており、前記導電体の各々は連続した導電体ループを有することを特徴とする請求項１２２記載の医療装置。
【請求項１２７】
前記パターンは、ループメッシュに織られた単一の導電体によって形成されており、前記ループメッシュは２以上の連続した「８の字」形状導電体ループ対によって形成されていることを特徴とする請求項１２２記載の医療装置。
【請求項１２８】
前記単一の導電体はサイン波相当形状であることを特徴とする請求項１２７記載の医療装置。
【請求項１２９】
前記単一の導電体は、ジグザグパターンであることを特徴とする請求項１２７記載の医療装置。
【請求項１３０】
導電性材料のパターンを含む医療用ステントであって、前記導電性材料の前記パターンは、イメージング・アーチファクトを実質的に防止することを特徴とする医療用ステント。
【請求項１３１】
導電性材料のパターンからなる医療用ステントであって、前記導電性材料の前記パターンは、実質的に前記ステント内のボリュームの画像化を可能とすることを特徴とする医療用ステント。
【請求項１３２】
導電性材料のパターンからなる医療用ステントであって、
前記導電性材料の前記パターンは、イメージング・アーチファクトを実質的に防止し、前記ステント内のボリュームの画像化を可能とすることを特徴とする医療用ステント。
【請求項１３３】
導電性材料のパターンからなる導電性構造であって、前記導電性材料の前記パターンは、前記導電体構造によって実質的にイメージング・アーチファクトの形成を防止することを特徴とする導電性構造。
【請求項１３４】
導電性材料のパターンからなる医療装置であって、前記導電性材料の前記パターンは、実質的に医療装置によるイメージング・アーチファクトの形成を防止することを特徴とする医療装置。
【請求項１３５】
導電性材料のパターンからなる導電性構造であって、前記導電性材料の前記パターンは、実質的に前記導電体構造内のボリュームの画像化を可能とすることを特徴とする導電性構造。
【請求項１３６】
導電性材料のパターンからなる導電性構造であって、前記導電性材料の前記パターンは、実質的に医療装置によるイメージング・アーチファクトの形成を防止して、実質的に前記導電体構造内のボリュームの画像化を可能とすることを特徴とする導電性構造。
【請求項１３７】
導電性材料のパターンからなる医療装置であって、前記導電性材料の前記パターンは、実質的に前記医療装置内のボリュームの画像化を可能とすることを特徴とする医療装置。
【請求項１３８】
導電性材料のパターンからなる医療装置であって、前記導電性材料の前記パターンは反アンテナ幾何形状を有し、前記反アンテナ幾何形状は前記医療装置のイメージング・アーチファクトを実質的に防止し、実質的に前記医療装置内のボリュームの画像化を可能とすることを特徴とする医療装置。
【請求項１３９】
導電性材料のパターンからなる医療用ステントであって、前記導電性材料の前記パターンは前記医療用ステントのイメージング・アーチファクトの形成を防止し、前記導電性材料は拡張可能であるように形づくられ、前記導電性材料の拡張により前記医療用ステントの半径が増加することを特徴とする医療用ステント。
【請求項１４０】
導電性材料のパターンからなる医療用ステントであって、前記導電性材料のパターンは前記ステント内のボリュームの画像化を実質的に可能として、前記導電性材料は拡張可能となるように形づくられて、前記導電性材料の拡張により前記医療用ステントの半径が増加することを特徴とする医療用ステント。
【請求項１４１】
導電性材料のパターンからなる医療用ステントであって、前記導電性材料のパターンは医療用ステントのイメージング・アーチファクトの形成を実質的に防止して、前記ステント内のボリュームの画像化を実質的に可能として、前記導電性材料は拡張可能となるように形づくられて、前記導電性材料の拡張により前記医療用ステントの半径が増加することを特徴とする医療用ステント。
【請求項１４２】
導電性材料のパターンからなる医療用ステントであって、前記導電性材料のパターンは医療用ステントのイメージング・アーチファクトの形成を実質的に防止して、前記導電性材料は拡張可能となるように形づくられて、前記導電性材料の拡張により前記医療用ステントの半径が増加することを特徴とする医療用ステント。
【請求項１４３】
導電性材料のパターンからなる医療用ステントであって、前記導電性材料のパターンは、前記ステント内のボリュームの画像化を実質的に可能として、前記導電性材料は熱を与えられて拡張可能となるように形成されており、前記導電性材料の拡張により前記医療用ステントの半径が増加することを特徴とする医療用ステント。
【請求項１４４】
導電性材料のパターンからなる医療用ステントであって、前記導電性材料のパターンは医療用ステントのイメージング・アーチファクトの形成を実質的に防止して、前記ステント内のボリュームの画像化を実質的に可能として、前記導電性材料は熱を与えられて拡張可能となるように形成されており、前記導電性材料の拡張により前記医療用ステントの半径が増加することを特徴とする医療用ステント。
【請求項１４５】
導電性材料のパターンからなる医療用ステントであって、前記導電性材料のパターンは医療用ステントのイメージング・アーチファクトの形成を実質的に防止して、前記導電性材料は拡張可能となるように形づくられて、前記導電性材料の拡張により前記医療用ステントの半径が増加して、且つ、前記導電性材料が前記医療用ステントの半径を減じるように動くことを実質的に防止するように前記導電性材料の形状に実質的に適合する形状のトラック・アンド・ロック機構を有することを特徴とする医療用ステント。
【請求項１４６】
導電性材料のパターンからなる医療用ステントであって、前記導電性材料の前記パターンは前記ステント内のボリュームの画像化を実質的に可能として、前記導電性材料は拡張可能となるように形づくられて、前記導電性材料の拡張により前記医療用ステントの半径が増加して、且つ、前記導電性材料が前記医療用ステントの半径を減じるように動くことを実質的に防止するように前記導電性材料の形状に実質的に適合する形状のトラック・アンド・ロック機構を有することを特徴とする医療用ステント。
【請求項１４７】
導電性材料のパターンからなる医療用ステントであって、前記導電性材料のパターンは医療用ステントのイメージング・アーチファクトの形成を実質的に防止して、前記ステント内のボリュームの画像化を実質的に可能として、前記導電性材料は拡張可能となるように形づくられて、前記導電性材料の拡張により前記医療用ステントの半径が増加して、且つ、前記導電性材料が前記医療用ステントの半径を減じるように動くことを実質的に防止するように前記導電性材料の形状に実質的に適合する形状のトラック・アンド・ロック機構を有することを特徴とする医療用ステント。
【請求項１４８】
導電性材料のパターンからなる医療用ステントであって、前記導電性材料のパターンは医療用ステントのイメージング・アーチファクトの形成を実質的に防止して、前記導電性材料は拡張可能となるように形づくられて、前記導電性材料の拡張により前記医療用ステントの半径が増加して、且つ、前記導電性材料が一方向に動くように前記導電性材料の形状に実質的に適合する形状のトラック・アンド・ロック機構を有することを特徴とする医療用ステント。
【請求項１４９】
導電性材料のパターンからなる医療用ステントであって、前記導電性材料の前記パターンは前記ステント内のボリュームの画像化を実質的に可能として、前記導電性材料は拡張可能な形状であって、前記導電性材料の拡張により前記医療用ステントの半径が増加して、且つ、前記導電性材料が一方向に動くように前記導電性材料の形状に実質的に適合する形状のトラック・アンド・ロック機構を有することを特徴とする医療用ステント。
【請求項１５０】
導電性材料のパターンからなる医療用ステントであって、前記導電性材料のパターンは医療用ステントのイメージング・アーチファクトの形成を実質的に防止して、前記ステント内のボリュームの画像化を実質的に可能として、前記導電性材料は拡張可能な形状であって、前記導電性材料の拡張により前記医療用ステントの半径が増加して、且つ、前記導電性材料が一方向に動くように前記導電性材料の形状に実質的に適合する形状のトラック・アンド・ロック機構を有することを特徴とする医療用ステント。
【請求項１５１】
複数のリンクからなる医療用ステントであって、各リンクは円筒形状医療用ステントを形作るように互いに接続されて、各リンクは拡張可能な形状であって、前記リンクの拡張により前記医療用ステントの半径が増加することを特徴とする医療用ステント。
【請求項１５２】
複数のリンクからなる医療用ステントであって、各リンクは円筒形状医療用ステントを形作るように互いに接続されて、各リンクは熱を加えることにより拡張可能な形状であって、前記リンクの拡張により前記医療用ステントの半径が増加することを特徴とする医療用ステント。
【請求項１５３】
複数のリンクからなる医療用ステントであって、各リンクは円筒形状医療用ステントを形作るように互いに接続されて、各リンクは拡張可能な形状であって、前記リンクの拡張により前記医療用ステントの半径が増加して、前記リンクの形状に実質的に適合した形状を有し、実質的に前記リンクが前記医療用ステントの半径を減じる方向への動きを防止するトラック・アンド・ロック機構を有することを特徴とする医療用ステント。
【請求項１５４】
複数のリンクからなる医療用ステントであって、各リンクは円筒形状医療用ステントを形作るように互いに接続されて、各リンクは熱を加えることにより拡張可能な形状であって、前記リンクの拡張により前記医療用ステントの半径が増加して、前記リンクの形状に実質的に適合した形状を有し、前記リンクが一方向に動くようにするトラック・アンド・ロック機構を有することを特徴とする医療用ステント。
【請求項１５５】
医療用ステントの製造方法であって、
（ａ）  導電性材料の第１の円筒を切断して、複数のノードを有する導電性メッシュ・ストランドの第１のパターンをつくるステップと、
（ｂ）導電性材料の第２の円筒を切断して、複数のノードを有する導電性メッシュ・ストランドの第１のパターンをつくるステップと、
（ｃ）前記第２の円筒のボリューム内に第１の円筒を配置し、前記第２の円筒に関して前記第１の円筒を配置し、前記第１の円筒のノードは、前記第２の円筒の前記ノードに接触する前記第１の円筒の前記ノードなしに前記第２の円筒の前記ノードに近接するステップと、
（ｄ）前記２つの円筒の隣接ノードに絶縁接着材料を与えるステップとを含むことを特徴とする方法。
【請求項１５７】
前記第１の円筒及び第２の円筒は、タンタルからなることを特徴とする請求項１５５記載の方法。
【請求項１５８】
前記絶縁結合材料は、シリコン・ゴムであることを特徴とする請求項１５５記載の方法。
【請求項１５９】
前記絶縁接着材料は、熱可塑性プラスチックであることを特徴とする請求項１５５記載の方法。
【請求項１６０】
前記絶縁接着材料は、熱硬化性ポリマーであることを特徴とする請求項１５５記載の方法。
【請求項１６１】
前記絶縁接着材料は、ガラスであることを特徴とする請求項１５５記載の方法。
【請求項１６２】
前記導電性メッシュストランドは、「Ｚ」形状セグメントを含み、前記医療用ステントが半径方向に拡張することを容易にすることを特徴とする請求項１５５記載の方法。
【請求項１６３】
医療用ステントの製造方法であって、
（ａ）  導電性材料の第１の円筒を切断して、複数のノードを有する導電性メッシュ・ストランドの第１のパターンをつくるステップと、
（ｂ）導電性材料の第２の円筒を切断して、複数のノードを有する導電性メッシュ・ストランドの第１のパターンをつくるステップと、
（ｃ）前記第２の円筒のボリューム内に第１の円筒を配置し、前記第２の円筒に関して前記第１の円筒を配置し、前記第１の円筒のノードは、前記第２の円筒の前記ノードに接触する前記第１の円筒の前記ノードなしに前記第２の円筒の前記ノードに近接するステップと、
（ｄ）前記第１及び第２の円筒の間に絶縁接着材料の第３の円筒を配置するステップと、
（ｅ）前記第１及び第２の円筒の隣接ノードを加熱して、絶縁接着材料が隣接ノードを接着するステップと、を含むことを特徴とする方法。
【請求項１６４】
第１の円筒及び第２の円筒は、タンタルからなることを特徴とする請求項１６３記載の方法。
【請求項１６５】
前記絶縁接着材料は、シリコン・ゴムであることを特徴とする請求項１６３記載の方法。
【請求項１６６】
前記絶縁接着材料は、熱可塑性プラスチックであることを特徴とする請求項１６３記載の方法。
【請求項１６７】
前記絶縁接着材料は、熱硬化性ポリマーであることを特徴とする請求項１６３記載の方法。
【請求項１６８】
前記絶縁接着材料は、ガラスであることを特徴とする請求項１６３記載の方法。
【請求項１６９】
前記導電性メッシュストランドは、「Ｚ」形状セグメントを含み、前記医療用ステントが半径方向に拡張することを容易にすることを特徴とする請求項１６３記載の方法。
【請求項１７０】
（ｅ）第１および第２の円筒の非隣接ノード領域を加熱して、非導電体材料を除去するステップを更に含むことを特徴とする請求項１６３記載の方法。
【請求項１７１】
医療用ステントの製造方法であって、
（ａ）  導電性ストランドのウェブを作成して、全ての交差点で絶縁材料が前記交差点ストランドを維持するように与えられるとともに電気的に互いを絶縁するステップと、
（ｂ）前記織り込み部分を切り取って導電性ストランドのシートを形成するステップと、
（ｃ）  円筒形状に導電性ストランドのシートを整形するステップと、
（ｄ）シートの端部を接着して円筒形状を維持するステップとを含むことを特徴とする方法。
【請求項１７２】
前記シートの前記端部は、導電性材料によって取り付けられていることを特徴とする請求項１７１記載の方法。
【請求項１７３】
前記シートの前記端部は、絶縁材料によって取り付けられていることを特徴とする請求項１７１記載の方法。
【請求項１７４】
第１の円筒及び第２の円筒は、ニチノールからなることを特徴とする請求項１５５記載の方法。
【請求項１７５】
第１の円筒及び第２の円筒は、ステンレス鋼からなることを特徴とする請求項１５５記載の方法。
【請求項１７６】
第１の円筒及び第２の円筒は、ＮｂＺｒからなることを特徴とする請求項１５５記載の方法。
【請求項１７７】
第１の円筒及び第２の円筒は、チタンからなることを特徴とする請求項１５５記載の方法。
【請求項１７８】
第１の円筒及び第２の円筒は、ニチノールからなることを特徴とする請求項１６３記載の方法。
【請求項１７９】
第１の円筒及び第２の円筒は、ステンレス鋼からなることを特徴とする請求項１６３記載の方法。
【請求項１８０】
第１の円筒及び第２の円筒は、ＮｂＺｒからなることを特徴とする請求項１６３記載の方法。
【請求項１８１】
第１の円筒及び第２の円筒は、チタンからなることを特徴とする請求項１６３記載の方法。
【発明の詳細な説明】
【技術分野】
【０００１】
本発明は、ステントの設計、ステントの応用装置及びその製造方法に関する。より詳細には、本発明は、磁気共鳴イメージアーチファクトをほとんど生じない、若しくは、全く生じないステント、及び、その製造方法に関する。
【背景技術】
【０００２】
医療用矯正・防止装置としてステントが使用される。
【０００３】
例えば、米国特許第５，１３３，７３２号では、ステントが人体の血管内にインプラントされ得ることが開示されている。このステントは、変形可能なジグザク構造を有しており、一般的にはコイル化された連続したワイヤーによって形成された円筒状体である。更に、ステントはその長軸方向に沿って伸びを生じないような手段を具備している。バルーン拡張体によって非常に長いステントがインプラントされる場合にこのようなステントは特に有益である。ここで米国特許第５，１３３，７３２号の全ての内容は、引用により本明細書に包含されるものとする。
【０００４】
他の例として、米国特許第５，５０７，７６７号は、細長いジグザクパターンに折曲げられたステンレスワイヤからなる自己拡張内部血管ステントを開示している。このジグザクパターンは、複数の屈曲部分を隔てたさまざまな長さの複数の実質的にまっすぐなワイヤセクションを有する。屈曲部分のほとんどがらせんに配置されるようにして、ジグザクパターンが中央軸の周りをらせん状に巻回されて管状体を画定する。らせん内の隣接する屈曲部分は、フィラメントで相互に接続されている。なお、米国特許第５，５０７，７６７号の全ての内容は引用により本明細書に包含されるものとする。
【０００５】
磁気共鳴映像法（ＭＲＩ）は、人体の解剖学的特徴のみならず、機能的活性の特徴及び生物組織の特徴の双方の画像を得るのに適した映像技術として開発された。これらの画像は、検査組織の健康状態を決定する際の医用診断値を有する。透過型イメージングとは異なり、磁気共鳴映像法を受ける患者が副作用を生じることなく、長時間、例えば３０分以上の時間、動的なイメージングシステムを維持できるのである。
【０００６】
ＭＲＩプロセスにおいて、一般的に、ＭＲＩ装置のイメージング・ボリュームに検査される患者の検査部位が来るように患者が配置される。このようなＭＲＩ装置は、一般的に、ｚ軸に沿って、且つ、イメージング・ボリュームに亘って実質的に均一な定常磁場（Ｂ0）を出力する一次電磁石と、空間内の三次元軸の各々に沿って線形的な傾斜磁場を与える二次電磁石とを含む。ＭＲＩ装置は励起を与えて、且つ、患者の体内におけるＭＲＩ励起信号を検出するための１つ以上のＲＦ（ラジオ周波数）コイルを含む。
【０００７】
使用されるＭＲＩスキャンシーケンス毎に異なる速度で傾斜場のＯＮ／ＯＦＦスイッチが切り替えられる。ある場合において、これはｄＢ／ｄｔ＝５０Ｔ／Ｓのオーダーの可変磁場となる。傾斜場がＯＮに切り替えられ得る周波数は２００Ｈｚから約３００ｋＨｚである。
【０００８】
イメージング・ボリュームに亘る静的磁場Ｂ0の均一性がイメージの明瞭性にとって重要である。この場が均一でないとき、「イメージ・アーチファクト」と呼ばれる画像歪みを生じる。加えて、傾斜場が画像体に亘って理想的な線形から顕著にずれた場合、イメージ・アーチファクトが生ずる。患者の身体にある医療装置がＭＲＩシステムの磁場によるクリアな画像形成のための好ましい特性を逸脱させてしまうことがある。医療装置が例えば鉄のような金属部品からなる場合、金属の磁化特性によるイメージ・アーチファクトによってＭＲＩシステムで与えられる磁場をゆがませてしまうのである。これらは、磁化率アーチファクトとして公知である。加えて、医療装置が導電性部品からなる場合、ＭＲＩシステムの振動磁場がこれに与えられると渦電流が生じてしまうのである。渦電流はイメージング・ボリューム内の正味の磁場を変形させて、これによりＭＲイメージング・アーチファクトとなる他の線源を与えるのである。
【０００９】
ステントが患者に挿入された後、一定時間経過後にステントが所定通り機能しているかどうかを決定できることがしばしば望まれる。例えば、狭窄の問題を解決するためにステントを配置する場合、再狭窄の兆候があるかどうかを決定できることが望ましい。他の医療法でも同様にステント内部のボリュームの画像を得ることが求められているのである。上記したように、金属製導電ステント固有のイメージ・アーチファクトの問題のために、ステントの内部のボリュームのクリアな画像を得ることはできないのである。
【００１０】
これらの問題を克服するための試行が行われている。２００２年４月１６日刊行の「循環器（Ｃｉｒｃｕｌａｔｉｏｎ）」誌の第１７７２頁乃至１７７５頁のアーノ・ブエカー（Ａｒｎｏ  Ｂｕｅｃｋｅｒ）氏らによる「新しい金属磁気共鳴映像ステントを用いて標準的な磁気共鳴血管造影法を行ったときのステント内腔可視化におけるアーチファクトのフリー化」なる文献では、試作されたステントがステントの内腔の映像能力を高め得ることが開示されている。しかしながら、この試作機は、標準的なステンレス製ステントと比較して半径方向の強度を欠いていた。加えて、この文献はステント内腔の可視化を改良するためにコントラストを加える薬剤の使用を開示している。
【００１１】
２００１年３月刊行の「血管とインターベンショナル・ラジオロジ（Ｊｏｕｒｎａｌ  ｏｆ  Ｖａｓｃｕｌａｒ  ａｎｄ  Ｉｎｔｅｒｖｅｎｔｉｏｎａｌ  Ｒａｄｉｏｌｏｇｙ）」誌の第１２巻第３号第３６５頁乃至第３７１頁のバルテルス（Ｌａｍｂｅｒｔｕｓ  Ｗ．Ｂａｒｔｅｌｓ）氏らによる「血管ステントのＭＲイメージング：磁化率、フロー及びラジオ周波数エディー電流の効果」は、ステントの内腔の明瞭な画像化を妨げるさまざまなイメージング・アーチファクトについて記述している。
【００１２】
２００２年刊行の「医療のＭＲ（Ｍａｇｎｅｔｉｃ  Ｒｅｓｏｎａｎｃｅ  ｉｎ  Ｍｅｄｉｃｉｎｅ）」誌の第７４号第１７１頁から第１８０頁のバーテルス（Ｌａｍｂｅｒｔｕｓ  Ｗ．  Ｂａｒｔｅｌｓ）氏らによる「減じたＲＦアーチファクトによる金属血管インプラントにおける内腔の可視化の改善」は、コントラスト剤を使用して、ＭＲＩ工程の間、患者に蓄えられるパワーを増加させて金属ステント内腔を撮像する試みを記述している。特殊吸収率（ＳＡＲ）として測定される体内に蓄えられたパワーは、あまりに高すぎるとＭＲＩを受けている患者に有害となり得る。患者に蓄えられる高いパワーに加えて、この文献では画像を再構成するプロセスの調整が必要であることを明らかにしている。
【００１３】
２００２年１２月１２日に公開された米国特許出願公開ＵＳ２００２／０１８８３４５  Ａ１号は、非導電体材料を不連続に配した拡張可能な金属ステントを開示している。        
【００１４】
これらはステントリング及びセル内の導電経路を除去している。これにより磁気共鳴映像法（ＭＲＩ）によるステントの画像をより容易に得ることが出来るのである。米国特許出願公開ＵＳ２００２／０１８８３４５  Ａ１号の全ての内容は、引用により本願明細書に包含されるものとする。
【００１５】
ＰＣＴ公開ＷＯ０３／０１５６６２Ａ１号では、金属エンドプロステーシスにより特殊な設計の生産物を組み合わせて磁気共鳴断層撮影法（ＭＲＴ）を使用すると得られる画像に顕著なアーチファクトを生じず、これはＭＲＴの手段による外部隣接領域及びエンドプロステーシスの内腔の評価を可能とすることを開示している。
【発明の開示】
【発明が解決しようとする課題】
【００１６】
上記したステントは患者を保護するために使用され得るが、これらのステントでもまだ磁気共鳴イメージング・アーチファクトを生じるのである。さらに上記したステントは、磁気共鳴画像におけるステント内のボリュームの画像化（イメージング）を阻害する。
【００１７】
したがって、磁気共鳴イメージング・アーチファクトをほとんど生じないステントの提供が望まれている。さらに、ステント内のボリュームを画像化できるステントの提供が望まれている。さらに、磁気共鳴イメージング・アーチファクトをほとんど生じず、且つ／又は、ステント内のボリュームの画像化を可能としたステントの提供が望まれている。
【課題を解決するための手段】
【００１８】
本発明の医療用ステントは導電性材料のパターンを含む。この導電性材料のパターンは反アンテナ幾何学形状を有し、この反アンテナ幾何形状が医療用ステントのイメージング・アーチファクトの形成を実質的に妨げる。
【００１９】
本発明の医療用ステントは導電性材料のパターンを含む。この導電性材料のパターンは反アンテナ幾何形状を有し、この反アンテナ幾何形状が実質的にステント内のボリュームの画像化を可能とする。
【００２０】
本発明の医療用ステントは、導電性材料のパターンを含む。この導電性材料のパターンは反アンテナ幾何形状を有し、この反アンテナ幾何形状が実質的に医療用ステントのイメージング・アーチファクトの形成を防止し、実質的にステント内のボリュームの画像化を可能とする。
【００２１】
本発明の導電性構造は導電性材料のパターンを含む。この導電性材料のパターンは反アンテナ幾何形状を有し、この反アンテナ幾何形状が実質的に導電性構造によるイメージング・アーチファクトの形成を防止する。
【００２２】
本発明の医療装置は導電性材料のパターンを含む。この導電性材料のパターンは反アンテナ幾何形状を有し、この反アンテナ幾何形状が実質的に医療装置によるイメージング・アーチファクトの形成を防止する。
【００２３】
本発明の導電性構造は導電性材料のパターンを含む。この導電性材料のパターンは反アンテナ幾何形状を有し、この反アンテナ幾何形状が実質的に導電性構造内のボリュームの画像化を可能とする。
【００２４】
本発明の導電性構造は導電性材料のパターンを含む。この導電性材料のパターンは反アンテナ幾何形状を有し、この反アンテナ幾何形状が実質的に医療装置によるイメージング・アーチファクトの形成を防止し、実質的に導電性構造内のボリュームの画像化を可能とする。
【００２５】
本発明の医療装置は導電性材料のパターンを含む。この導電性材料のパターンは反アンテナ幾何形状を有し、この反アンテナ幾何形状が実質的に医療装置内のボリュームの画像化を可能とする。
【００２６】
本発明の医療装置は導電性材料のパターンを含む。この導電性材料のパターンは反アンテナ幾何形状を有し、この反アンテナ幾何形状が実質的に医療装置によるイメージング・アーチファクトの形成を防止し、実質的に医療装置内のボリュームの画像化を可能とする。
【００２７】
本発明の医療用ステントは導電性材料のパターンを含む。この導電性材料のパターンは、実質的に医療用ステントのイメージング・アーチファクトの形成するのを防止する。
【００２８】
本発明の医療用ステントは導電性材料のパターンを含む。この導電性材料のパターンは、実質的にステント内のボリュームの画像化を可能とする。
【００２９】
本発明の医療用ステントは導電性材料のパターンを含む。この導電性材料のパターンは、実質的に医療用ステントのイメージング・アーチファクトの形成を防止して、実質的にステント内のボリュームの画像化を可能とする。
【００３０】
本発明の導電性構造は導電性材料のパターンを含む。この導電性材料のパターンは、実質的に導電性構造によるイメージング・アーチファクトの形成を防止する。
【００３１】
本発明の医療装置は導電性材料のパターンを含む。この導電性材料のパターンは、実質的に医療装置によるイメージング・アーチファクトの形成を防止する。
【００３２】
本発明の導電性構造は導電性材料のパターンを含む。この導電性材料のパターンは、実質的に導電性構造内のボリュームの画像化を可能とする。
【００３３】
本発明の導電性構造は導電性材料のパターンを含む。この導電性材料のパターンは、実質的に医療装置によるイメージング・アーチファクトの形成を防止して、実質的に導電性構造内のボリュームの画像化を可能とする。
【００３４】
本発明の医療装置は導電性材料のパターンを含む。この導電性材料のパターンは、実質的に医療装置内のボリュームの画像化を許容する。
【００３５】
本発明の医療装置は導電性材料のパターンを含む。この導電性材料のパターンは、実質的に医療装置によるイメージング・アーチファクトの形成を防止して、実質的に医療装置内のボリュームの画像化を可能とする。
【００３６】
本発明の医療用ステントは導電性材料のパターンを含む。この導電性材料のパターンは、実質的に医療用ステントのイメージング・アーチファクトの形成を防止する。この導電性材料は拡張できるように形作られており、導電性材料の拡張により医療用ステントの半径が増加する。
【００３７】
本発明の医療用ステントは導電性材料のパターンを含む。この導電性材料のパターンは、実質的にステント内のボリュームの画像化を可能とする。この導電性材料は拡張できるように形作られており、導電性材料の拡張により医療用ステントの半径が増加する。
【００３８】
本発明の医療用ステントは導電性材料のパターンを含む。この導電性材料のパターンは、実質的に医療用ステントのイメージング・アーチファクトの形成を防止して、実質的にステント内のボリュームの画像化を可能とする。この導電性材料は拡張できるように形作られており、導電性材料の拡張により医療用ステントの半径が増加する。
【００３９】
本発明の医療用ステントは導電性材料のパターンを含む。この導電性材料のパターンは、実質的に医療用ステントのイメージング・アーチファクトの形成を防止する。この導電性材料は加熱されると拡張できるように形作られており、導電性材料の拡張により医療用ステントの半径が増加する。
【００４０】
本発明の医療用ステントは導電性材料のパターンを含む。この導電性材料のパターンは、実質的にステント内のボリュームの画像化を可能とする。この導電性材料は加熱されると拡張できるように形作られており、導電性材料の拡張により医療用ステントの半径が増加する。
【００４１】
本発明の医療用ステントは導電性材料のパターンを含む。この導電性材料のパターンは、実質的に医療用ステントのイメージング・アーチファクトの形成を防止して、実質的にステント内のボリュームの画像化を可能とする。この導電性材料は加熱されると拡張できるように形作られており、導電性材料の拡張により医療用ステントの半径が増加する。
【００４２】
本発明は医療用ステントに関する。この医療用ステントは、導電性材料のパターンと、導電性材料の形状に実質的に適合した形状のトラック・アンド・ロック機構とを含む。このトラック・アンド・ロック機構は実質的に医療用ステントの半径を減じるような導電性材料の動きを防止する。この導電性材料のパターンは、実質的に医療用ステントのイメージング・アーチファクトの形成を防止する。この導電性材料は拡張できるように形作られており、導電性材料の拡張により医療用ステントの半径が増加する。
【００４３】
本発明は医療用ステントに関する。この医療用ステントは、導電性材料のパターンと、導電性材料の形状に実質的に適合した形状のトラック・アンド・ロック機構とを含む。このトラック・アンド・ロック機構は実質的に医療用ステントの半径を減じるような導電性材料の動きを防止する。この導電性材料のパターンは、実質的にステント内のボリュームの画像化を可能とする。この導電性材料は拡張できるように形作られており、導電性材料の拡張により医療用ステントの半径が増加する。
【００４４】
本発明は医療用ステントに関する。この医療用ステントは、導電性材料のパターンと、導電性材料の形状に実質的に適合した形状のトラック・アンド・ロック機構とを含む。このトラック・アンド・ロック機構は実質的に医療用ステントの半径を減じるような導電性材料の動きを防止する。この導電性材料のパターンは、実質的に医療ステントのイメージング・アーチファクトの形成を防止して、実質的にステント内のボリュームの画像化を可能とする。この導電性材料は拡張できるように形作られており、導電性材料の拡張により医療用ステントの半径が増加する。
【００４５】
本発明は医療用ステントに関する。この医療用ステントは、導電性材料のパターンと、導電性材料の形状に実質的に適合した形状のトラック・アンド・ロック機構とを含む。このトラック・アンド・ロック機構は導電性材料の一方向への動きを可能とする。この導電性材料のパターンは、実質的に医療用ステントのイメージング・アーチファクトの形成を防止する。この導電性材料は拡張できるように形作られており、導電性材料の拡張により医療用ステントの半径が増加する。
【００４６】
本発明は医療用ステントに関する。この医療用ステントは、導電性材料のパターンと、導電性材料の形状に実質的に適合した形状のトラック・アンド・ロック機構とを含む。このトラック・アンド・ロック機構は導電性材料の一方向への動きを可能とする。この導電性材料のパターンは、実質的にステント内のボリュームの画像化を可能とする。この導電性材料は拡張できるように形作られており、導電性材料の拡張により医療用ステントの半径が増加する。
【００４７】
本発明は医療用ステントに関する。この医療用ステントは、導電性材料のパターンと、導電性材料の形状に実質的に適合した形状のトラック・アンド・ロック機構とを含む。このトラック・アンド・ロック機構は導電性材料の一方向への動きを可能とする。この導電性材料のパターンは、実質的に医療用ステントのイメージング・アーチファクトの形成を防止して、実質的にステント内のボリュームの画像化を可能とする。この導電性材料は拡張できるように形作られており、導電性材料の拡張により医療用ステントの半径が増加する。
【００４８】
本発明は医療用ステントに関する。この医療用ステントは複数のリンクを含み、各リンクは円筒形状の医療用ステントを形成するように接続されており、且つ、各リンクは拡張可能であるように形作られており、リンクが拡張すると医療用ステントの半径が増加する。
【００４９】
本発明は医療用ステントに関する。この医療用ステントは複数のリンクを含み、各リンクが互いに接続されて円筒形状医療用ステントを形成し、且つ、各リンクは加熱されると拡張できるように形作られており、リンクの拡張により医療用ステントの半径が増加する。
【００５０】
本発明は医療用ステントに関する。この医療用ステントは複数のリンクを含み、各リンクが互いに接続されて円筒形状医療用ステントを形成し、且つ、各リンクは加熱されると拡張できるように形作られており、リンクの拡張により医療用ステントの半径が増加する。リンクの形状に実質的に適合した形状のトラック・アンド・ロック機構を含み、これは実質的に医療用ステントの半径を減じるようなリンクの動きを防止する。
【００５１】
本発明は医療用ステントに関する。この医療用ステントは複数のリンクを含み、各リンクが互いに接続されて円筒形状医療用ステントを形成し、且つ、各リンクは加熱されると拡張できるように形作られており、リンクの拡張により医療用ステントの半径が増加する。リンクの形状に実質的に適合した形状のトラック・アンド・ロック機構を含み、これはリンクの一方向への動きを可能とする。
【００５２】
本発明は、医療用ステントを組み立てる方法に関する。該方法は、導電性材料の第１の円筒を切り取って、複数のノードを有する導電性メッシュストランドの第１のパターンを形成するステップと、導電性材料の第２の円筒を切り取って、複数のノードを有する導電性メッシュストランドの第１のパターンを形成するステップと、第２の円筒のボリューム内に第１の円筒を配置して、第１の円筒のノードが第２の円筒のノードに接触しないように第２の円筒のノードを第１の円筒のノードに近接させて第２の円筒に関して第１の円筒を配置するステップと、２つの円筒の隣接するノードに絶縁結合材料を与えるステップとを含む。
【００５３】
本発明は、医療用ステントを組み立てる方法に関する。該方法は、導電性材料の第１の円筒を切り取って複数のノードを有する導電性メッシュ・ストランドの第１のパターンを形成するステップと、導電性材料の第２の円筒を切り取って複数のノードを有する導電性メッシュ・ストランドの第１のパターンを形成するステップと、第２の円筒のボリューム内に第１の円筒を配置して、第１の円筒のノードが第２の円筒のノードに接触しないように第２の円筒のノードを第１の円筒のノードに近接させて第２の円筒に関して第１の円筒を配置するステップと、第１及び第２の円筒の間に絶縁接着材料の第３の円筒を配置するステップと、第１及び第２の円筒の隣接ノードを加熱して、絶縁接着材料で隣接ノードを結合するステップと、を含む。
【００５４】
本発明は、医療用ステントを組み立てる方法に関する。該方法は、全ての交差点において、交点ストランドを維持し且つ電気的に導電性ストランド同士を互いに分離するために絶縁物質を与えて導電性ストランドのウェブを形成するステップと、ウェブの一部を切り取って導電性ストランドのシートを形成するステップと、円筒状に導電性ストランドシートを成形するステップと、シートの互いの端部を取付けて円筒状に保持するステップとを含む。
【発明を実施するための最良の形態】
【００５５】
本発明は、好適な実施例と関連して記載されるが、本発明はここに記載した実施例に限定されるものではないと理解されるであろう。一方で、添付の特許請求の範囲によって決定される本発明の精神及び範囲内に含まれる均等物及び全ての変更態様は本発明に含まれる。
【００５６】
本発明の全般的な理解のために図面が参照される。全ての図面において、類似の参照符は同一若しくは均等の部材を示すために用いた。また、本発明を例示するいくつかの図面はスケール通りでないことに注意されたい。また、本発明の特徴及び概念が適切に図示されるようにある領域は強調されて描画されていることにも注意されたい。
【００５７】
本発明は、多くの部材やこれらの配列、また多くの工程やこれらの配列で構成される。図面は、好適な実施例を図示する目的のために含まれており、本発明を限定して解釈するものではない、
図１は、導電性リング１０２及び１０４が振動磁場１０６の環境下に置かれた時の２つの導電性リング１０２及び１０４にそれぞれ誘導される誘導電流１１０及び１１２を示した図である。図１に示した如く、瞬間的には、電流１１０及び１１２は時計回りに流れる。磁場が振動するとき、電流１１０及び１１２の方向はゼロまで減少して、それから反時計回転方向（図示せず）に流れ始める。
【００５８】
図２は、導電性リング１０２及び１０４が電気的に結合されて、１つの「８の字」形状若しくは相当形状の導電体１２０を形成する様子を図示している。「８の字」形状若しくは相当形状の導電体１２０の２つのローブ１２６及び１２８は同じ平面内にある。磁場１２２のフラックスがローブ１２６及び１２８を通過するように可変磁場１２２内に配置されたとき、ネット電流は「８の字」形状若しくは相当形状の導電体１２０内に誘導されないだろう。「８の字」形状若しくは相当形状の導電体１２０は、交差点１２４で電気的に絶縁されている。
【００５９】
図３は、本発明の概念による医療用ステント１３０の一部分を示している。図示した医療用ステント１３０は、複数の「８の字」形状若しくは相当形状の導電体１３２、１３４、１３６及び１３８を含む。「８の字」形状若しくは相当形状の導電体１３２、１３４、１３６及び１３８は、交差点１３１で電気的に絶縁されている。また交差点１３１は、「８の字」形状若しくは相当形状の導電体１３２、１３４、１３６及び１３８を機械的にサポートし得る。
【００６０】
「８の字」形状若しくは相当形状の導電体１３２、１３４、１３６及び１３８は、絶縁体コネクタ１４０によって互いに固定されている。これらのコネクタ１４０は、登録商標テフロン（Ｔｅｆｌｏｎ）や  テフセル（Ｔｅｆｚｅｌ）、絶縁ポリマー、シリコン若しくはその他の絶縁（非導電性）材料からなる。例えば、「８の字」形状若しくは相当形状の導電体１３２、１３４、１３６及び１３８は、タンタル、ニチノール、銅若しくは他の導電性物質若しくは導電性複合材料であってもよく、これら低い磁化率を有する。
【００６１】
「８の字」形状若しくは相当形状の導電体によって電磁干渉若しくは電磁障害の排除を実現する。換言すれば、各「８の字」形状若しくは相当形状の導電体は、反アンテナ幾何形状を有し、この反アンテナ形状が医療用ステントのイメージング・アーチファクトの形成を防止して、及び／又は、ステント内のボリュームの画像化を可能とするのである。
【００６２】
図４は、本発明の概念による医療用ステント１６０の一部分を示している。図示した医療用ステント１６０は、連続した導電性ループからなる導電体１６２及び１６４を含み、医療用ステント１６０の円筒表面を形成する。連続した導電性ループは、２つ以上の連続した「８の字」形状若しくは相当形状の導電性ループ対を形成し、連続したループ導電体１６２及び１６４の各々は、偶数個のループを含む。
【００６３】
交差点１６８において、導電体１６４は絶縁部材１６５によって電気的に絶縁されて、周回ループでの短絡を防止している。交差点１６９において、導電体１６２は絶縁部材１６７によって電気的に絶縁されて、周回ループでの短絡を防止している。交差点１６８及び１６９の絶縁部材１６５及び１６７は、その形状を維持するように導電体１６２及び１６４に機械的な支持を与え得る。
【００６４】
連続したループ導電体１６２及び１６４は、絶縁材料１６６を使用して互いに固定される。絶縁材料１６６は、ファスナー１６６を通って滑らないように連続したループ導電体１６２及び１６４を固定する手段を提供する。追加の連続したループ導電体（図示せず）は、ステント構造を完成するために追加される。
【００６５】
連続したループ導電体は、電磁干渉若しくは電磁障害の排除を実現する。換言すれば、各連続したループ導電体は、反アンテナ幾何形状を有し、この反アンテナ幾何形状が医療用ステントのイメージング・アーチファクトの形成を防止して、及び／又は、ステント内のボリュームの画像化を可能とするのである。
【００６６】
図５は、本発明の概念による医療用ステント１７０の一部を図示している。図示した医療用ステント１７０は、ステント円筒を画定するループメッシュに織られた単一の導電体１７２を含む。例えば１７４から開始される織物は、形成されるステント円筒１７０の長手方向に降下して、そして偶数個のループを画定するように円筒の長手方向に戻って上昇していく。織物によって形成されるパターンは、正弦波、「Ｚ」字形状、ジグザグ形状、鋸歯形状などであってもよく、トレースの進行方向に対して垂直方向に前後しながら横切るようなパターンである。このパターンは、２以上の連続した「８の字」形状若しくは相当形状の導電体ループ対を形成し、２以上の連続した「８の字」形状若しくは相当形状の導電体ループ対の各ランは、ループを偶数個含む。
【００６７】
織物パターンに続いて、導電体１７２が位置１７６まで円筒の長手方向に上下に織り込まれ続ける。ステントが完成するまで、円筒状のステント１７０の周囲を同様に織り込まれ続ける。
【００６８】
各イントララン交差点１７８では、絶縁材料１７９が電気的に導電体１７２自身を絶縁するために用いられる。更に、絶縁材料１７９は、交差する導電体がランに沿って変形したり滑らないように、若しくは、イントララン交差点が変化しないようにこれを固定する。
【００６９】
絶縁材料１７７は、各インターラン交差点位置１７５において導電体１７２同士を絶縁するために使用される。更に、絶縁材料１７７は、交差する導電体がランの間で、変形したり滑らないように、若しくは、インターラン交差点が変化しないようにこれを固定する。
【００７０】
導電体の織物パターンは、電磁干渉または電磁障害を排除する。換言すれば、織物パターンは、反アンテナ幾何形状を有し、反アンテナ幾何形状は、医療用ステントのイメージング・アーチファクトの生成を防止し、ステント内のボリュームの画像化を可能とするのである。
【００７１】
図６は、単一の導電物質１９２から織物パターンに形成した円筒形状ステント１９０の一部を図示している。ここで導電体は図５に示される縦長となったサイン波相当パターンよりも円弧状のサイン波相当パターンを達成する。
【００７２】
織物によって形成される円周パターンは、トレースの進行方向に対して垂直方向に前後に交差するような鋸歯若しくは他のパターンであってもよい点に注意される。
【００７３】
イントララン交差点１９４及び１９８では、導電材料１９２同士を互いに絶縁するために絶縁材料１９１及び１９３が与えられる。更に、絶縁材料１９１及び１９３は、交差する導電材料１９２がランに沿って変形したり滑らないように、若しくは、イントララン交差点が変化しないようにこれを固定する。
【００７４】
各インターラン交差点１９６では、導電材料１９２同士を互いに絶縁するために絶縁材料１９５が与えられる。更に、絶縁材料１９５は、交差する導電材料１９２がランの間で変形したり滑らないように、若しくは、インターラン交差点が変化しないようにこれを固定する
円形パターンは、電磁干渉若しくは電磁障害を除去する。換言すれば、円形パターンは反アンテナ幾何形状を有し、この反アンテナ幾何形状が医療用ステントのイメージング・アーチフェクトを防止し、且つ／又は、ステント内のボリュームの画像化を可能とするのである。
【００７５】
図７乃至９は、図３，４、５及び６において言及した織り込まれるサイン波相当形状の曲面セグメントは、「Ｚ」形状、ジグザグ形状、若しくは、鋸歯形状セグメントにどのように置換され得るかを図示している。
【００７６】
図７は、ステント織りの典型的な交差を示す。ステント織物の導電体２００及び２０２（または単一の導電体）は、導電体２００及び２０２（または単一の導電体）を互いに絶縁する絶縁材料２０１によって互いに固定されている。つまり、導電体２００及び２０２は絶縁材料２０１を通して不連続になっているのではなく、連続している点に注意されたい。
【００７７】
図８は、図７の曲面織り込みセグメント２００及び２０２の代替え形態を示す。図８において、導電セグメントは、「Ｚ」字形状、ジグザグ形状または鋸歯形状を有する。導電セグメント２０４及び２０６は、互いに交差していない。電気的に導電セグメント２０４及び２０６を互いに分離するための材料２０８によって、導電セグメント２０４及び２０６は互いに固定されている。
【００７８】
ステントを装着して身体内で拡張させるときに、導電セグメント２０４及び２０６の「ｚ」形状セグメントはまっすぐに直線状となって、ステントによって画定される円筒の全直径を増加させる。図９に示すように、導電セグメント２０４及び２０６が直線状となって、ステントによって画定される円筒のスパン長及び全直径を増加させるのである。
【００７９】
図１０は、多くの導電性ストランド２２１及び接合部２２２を含む導電体円筒医療用ステント２２０メッシュを図示している。ここで、導電体はサイン波状パターンを達成する。導電体によって形成されるパターンは、円弧状でも長手状であってもよい。導電体によって形成されるパターンは、「Ｚ」字形状、ジグザグ形状、鋸歯形状などであっても良く、これらのパターンはトレースの進行方向に対して垂直方向に前後に横切るパターンであることに注意されたい。
【００８０】
導電体によって形成されるパターンは、電磁干渉又は電磁障害を防止する。換言すれば、導電体によって形成されるパターンは、反アンテナ幾何形状を有し、この反アンテナ幾何形状が医療用ステントのイメージング・アーチファクトの形成を防止し、且つ／又は、ステント内のボリュームの画像化を可能とするのである。
【００８１】
図１１は、本発明のコンセプトによる接合部２２２を拡大して図示している。接合部２２２は、互いに固定された４つの導電性ストランド２２４、２２６、２２８及び２３０を含み、絶縁材料２３４によって互いに電気的に絶縁されている。小孔２２５、２２７、２２９及び２３１は、導電性ストランド２２４，２２６、２２８及び２３０の端部に任意に設けられて、固定材料２３４に形成された突部によって、固定材料２３４がストランドから外れないようにストランド２２４、２２６、２２８及び２３０を安全に締結している。
【００８２】
図示しないが、導電性ストランド２２４、２２６、２２８及び２３０の特定の端部は、電気的に各々接続しており、実質的にゼロ電流となるようにステント内の反対電流を生じさせるのに必要な適当なループ回路を形成していることに注意されたい。例えば、導電性ストランド２２４は電気的に導電性ストランド２３０に接続している一方で、導電性ストランド２２６は電気的に導電性ストランド２２８に接続している。一方で、他の実施例では、導電性ストランド２２４は電気的に導電性ストランド２２６に接続している一方で、導電性ストランド２３０は電気的に導電性ストランド２２８に接続している。
【００８３】
導電性ストランドの特定の端部の結合パターンは、電磁干渉又は電磁障害を排除する。換言すれば、導電性ストランドの特定の端部の結合パターンは、反アンテナ幾何形状を有し、この反アンテナ幾何形状が医療用ステントのイメージング・アーチファクトの形成を防止し、且つ／又は、ステント内のボリュームの画像化を可能とするのである。
【００８４】
導電性ストランドの端部の形状は、導電性ストランド２２４、２２６、２２８及び２３０を互いに固定するのを助けるとともに、電気的に絶縁された導電性ストランド２２４、２２６、２２８及び２３０を維持するために使われ得る。例えば、図１２は、「反矢じり」状端部２４０、２４２、２４６及び２４８を有する導電性ストランド２２４、２２６、２２８及び２３０を図示しており、固定材料２３４が反矢じり端２４０、２４２、２４６及び２４８の周囲に形づくられて、固定材料２３４がストランドから脱落しないようにストランド２２４、２２６、２２８及び２３０に安全に締結される。
【００８５】
特に図示しないが、導電性ストランド２２４、２２６、２２８及び２３０の反矢じり端部２４０、２４２、２４６及び２４８は、互いに電気的に接続されており、実質的にゼロ電流を実現するようなステント内の反対電流を生じるのに必要な適当なループ回路を形成することに注意されたい。例えば、導電性反矢じり端部２４０は電気的に導電性反矢じり端部２４２に接続している。一方で、導電性反矢じり端部２４６は電気的に導電性反矢じり端部２４８に接続し得る。また、他の実施例では、導電性反矢じり端部２４０は電気的に導電性反矢じり端部２４６に接続している。一方で、導電性反矢じり端部２４８は電気的に導電性反矢じり端部２４２に接続し得る。
【００８６】
導電性ストランドの特定の反矢じり端部の結合パターンは、電磁干渉又は電磁障害を除去する。換言すれば、導電性ストランドの特定の反矢じり端部の結合パターンは、反アンテナ幾何形状を有し、この反アンテナ幾何形状が医療用ステントのイメージング・アーチファクトの形成を防止し、且つ／又は、ステント内のボリュームの画像化を可能とするのである。
【００８７】
図１３は、他の導電性ステント織物を図示している。これはステントとして若しくはステントのコンポーネントとして使用され得る。導電体２６０は、第１の方向に流れる電流を誘導するループ２６１、第２の方向に流れる電流を誘導するループ２６４、第１の方向に流れる電流を誘導するループ２６６、第２の方向に流れる電流を誘導するループ２６８を形成する。ここで、第１の方向は第２の方向とは逆方向である。方向変化パターン２６３は、隣接したループに反対方向の誘導電流の流れを与えることを可能にする。
【００８８】
このような構造の実施例は、ループ−１／２ヒッチ・ループ−１／２ヒッチパターンであって、１／２ヒッチは、図１３の方向変化パターン２６３に対応する。
【００８９】
図１３に図示したように、分布方向変化パターン２６３を有するループ２６１、２６４、２６６、２６８  ．．．．の積み重ねは円筒状のコイルを形成する。このようにして、一端部から他端部まで導電体２６０が続き、トレースは、第１のループ２６１の周囲を時計回りに進行し、次のループ２６４の周囲を反時計回りに、次のループ２６６の周囲を時計回りに、次のループ２６８の周囲を反時計回りに、と進行する。
【００９０】
各交差点には、絶縁材料２６７及び２６５が導電性材料２６０を自身から電気的に絶縁するために与えられる。更に、絶縁材料２６７及び２６５は、交差する導電性材料２６０を変形若しくは滑り、また交差点の形状変化から保護する。
【００９１】
オプションとしては、ステント全体の構造強度及び安全性を上げるために任意的に、絶縁構造リブ２６２が付与される。
【００９２】
分布方向変化パターンを有する積層ループパターンが電磁干渉又は電磁障害を除去する。換言すれば、分布方向変化パターンを有する積層ループパターンが反アンテナ幾何形状を有し、この反アンテナ幾何形状が医療用ステントのイメージング・アーチファクトの形成を防止し、且つ／又は、ステント内のボリュームの画像化を可能とするのである。
【００９３】
図１４は、動脈ステント３０２の配置を図示している。動脈ステント３０２は、まず最初にその遠方端部３０４でガイドワイヤ３０６に取り付けられて、身体３１０内の動脈３０８の内部に配置される。動脈ステント３０２は、形状記憶物質からなり、例えば、加熱されて製造時の形状に戻るニチノールの如きである。
【００９４】
最初、動脈ステント３０２は小さな円筒形状の直径を有する。ＲＦエネルギー３１２が身体３１０を通過すると、動脈ステント３０２が加熱されて最終的な直径に拡大する。
【００９５】
実施例において、ガイドワイヤ３０６の端部３０４は、ＲＦエネルギー３１２を熱エネルギーに変換するために効率的な材料であって、しかもステント３０２を拡張させる材料で被覆されている。
【００９６】
他の実施例では、上記した如きメッシュ若しくは織物状のステントである動脈ステント３０２は、ＲＦエネルギー３１２（図１５参照）を熱エネルギーに変換するのに特に効率の良い物質３２２で被覆されている（図１５参照）。動脈ステント３０２は、電磁干渉又は電磁障害を排除するように形成されていなければならない点に注意される。換言すれば、動脈ステント３０２は、反アンテナ幾何形状を有するように製造されていなければならない。この反アンテナ幾何形状が医療用ステントのイメージング・アーチファクトの形成を防止し、且つ／又は、ステント内のボリュームの画像化を可能とするのである。
【００９７】
図１５は、加熱物質３２２で被覆されたステント・メッシュ形状記憶材料３２０からなる動脈ステント３０２の横断面を図示している。あるいは、ステント・メッシュ３２０の外部だけが加熱物質３２２で被覆されている。あるいは、ステント・メッシュ３２０の内部だけが加熱物質３２２で被覆されている。
【００９８】
ＲＦエネルギー３１２は、ＭＲＩシステム（図示せず）によって与えられてもよいが、他のＲＦ伝送器（図示せず）から与えられてもよい。ある場合且つある条件下で、ＭＲＩ環境に配置された長い導電体が加熱され得ることが知られている。この現象がステント挿入システムの一部のカテーテル若しくはガイドワイヤに組み込まれたときに、熱エネルギーが形状記憶物質の拡大を促しステントを拡張するように利用できる。
【００９９】
図１６乃至２１は、医療用ステントの１つの可能な製作工程を図示している。図１６を参照すると、例えば、タンタルの如き、初期の積層材料３４９は、凹窩を有する円筒形状である。例えば、円筒は図１７に図示した如き、パターンに切り取られ得る。円筒状積層材料３４９の切断には、レーザー若しくは他の手段が用いられても良い。
【０１００】
図１７は、エンドリング３５０及び３５４及びステント・パターン・メッシュストランドの半体３５６、３５８及び３６０を含む切断円筒３５１を図示している。（他のメッシュ・ストランドは、図をわかりやすくするために点線として示した。）
メッシュ・ストランド３５６、３５８及び３６０は、タブ３６２及び３６４によって、エンド・リング３５０及び３５４に接続している。
【０１０１】
図１８は、２つのエンドリング３５４が互いに近接するように１の円筒を１８０度回転させて配置した２つの切断円筒３５１を図示している。図１８内の矢印３５５が示すように、１つの円筒を一方の中に滑り込ませる。これは、異なるいくつかの方法で達成され得る。切断した円筒の１を加熱して膨張させる、且つ／若しくは、２つの切断円筒のうちの１を他方よりも僅かに小さい直径を有する円筒積層材料に形成することを含む。
【０１０２】
図１９は、それらの最終的な位置にある２つの切断された円筒を図示する。切断パターン３８１及び３８２のノードが互いに近接するが接触しないように配置されている。
【０１０３】
２つの切断円筒は、電磁干渉又は電磁障害を排除する。換言すれば、２つの切断円筒は、反アンテナ幾何形状を有し、反アンテナ幾何形状は、医療用ステントがイメージング・アーチファクトを生じることを防止し、及び／若しくは、ステント内のボリュームの画像化を可能とするのである。
【０１０４】
図２０は、堅く締結された導電性メッシュストランド３５６、３５８及び３６０同士のノード３８１及び３８２に、例えば、シリコン・ゴム、他の熱可塑性プラスチック、熱硬化性ポリマー、ガラスなどの絶縁結合材料３９０が適用されることを図示している。ステント・メッシュ３８８は、図１７の支持締結部３６２及び３６４から切断されて、図２１に示される最終的なステント部３８８を与える。
【０１０５】
図１６の初期穴円筒積層体から切断されたパターンは、図８に示すような「Ｚ」形状、ジグザグ形状、鋸歯形状セグメントを代わりに含むことができて、ステントが最終的に放射状に広がるようになされる。
【０１０６】
図２１に参照される以外に図示しない１つの実施例において、図２０の絶縁性結合材料３９０は、初期に中空円筒形状であって、３つの円筒集合体を形成する２つの切断円筒３５１の間に適合する大きさを有しており、結合材料３９０の円筒が中間層となる。レーザー又は他の手段を与えて、それらから不必要な結合材料を除去するとともに、ノードの結合材料３９０を溶解させる。
【０１０７】
１つの実施例において、導電材料の織り込み（例えば、図５参照）が図２２に図示されたシート積層平面材料４００を生産するために用いられる。他の導電性織物について述べたように（図５の説明を参照）、全ての交差点に絶縁性材料４０１及び４０３が与えられて、この状態で交差ストランドを保持して、互いの導電性ストランドを電気的に絶縁するのである。平らな織り込みシートまたはウェブの一部４０６は、初期の織り込みシート４００から切断される。破線４０２及び４０４は、織り込みシート若しくはウェブ４００による切断場所を図示している。
【０１０８】
図２３及び２４は、円筒形に丸められた切断部４０６を図示している。切断端部４０２及び４０４を合わせて切断ストランドがまとめられて、その後、ステントを保持するために互いに接着される。接着は、導電性材料（ハンダ、溶接、その他）若しくは絶縁手段（ガラス、ポリマー、その他）によってなされる。
【０１０９】
１つの図示しない実施例によれば、導電性金属ステントは、ナノ磁気薄膜コーティングで被覆されており、この被覆は、ＭＲＩシステムの発振磁場によって発生する渦電流の量を減じる。このような実施例において、さまざまな組成及び／又は厚さの複数の積層がステントに適用される。他の実施例において、ステントの部分だけは、ナノ磁気薄膜で被覆されており、故に、ＭＲＩシステムに生じる変化が電流の流れパターンを渦巻かせるのである。
【０１１０】
１つの実施例において、非磁性ステントは、ナノ磁気薄膜コーティングによる被覆をされて、ステントに十分なＭＲＩシステムの磁場変化を与えて、ステントから近距離の組織のイメージをゆがめることなく、ＭＲイメージによって観察可能なのである。
【０１１１】
他の実施例（図示せず）として、導電性金属ステントは、部分的に又はパターン内を完全にカーボンコンポジット材料でコーティングされている。
【０１１２】
他の実施例（図示せず）として、絶縁性ステントは、部分的に又はパターン内を完全にカーボンコンポジット材料でコーティングされている。
【０１１３】
図２５及び２６は、初期の最小半径ｒ５０１でのステント５００を図示している。ステント５００は、円筒形である。
【０１１４】
図２５は、ステント５００の横断面を図示している。ステント・ストランド５１２はステント５００内に包まれて、身体に配置する前に円筒の半径５０１を減じる。ステント５００は、ステント・ストランド５１２が通過するトラック・アンド・ロック機構５０２を有し、固定される。
【０１１５】
図２６は、トラック・アンド・ロック機構５０２の１つの実施例を図示している。トラック・アンド・ロック機構５０２の一部分５０６は、図２６の切り取り図に図示される。ステント・ストランド５１２は、トラック・アンド・ロック機構５０２の内部で歯５１０のそれにマッチする歯を有する。ステント・ストランド５１２は、案内穴５１４の移動に限定されて、円筒ステント５００の全半径５０１を増加させるようにのみ移動することができる。
【０１１６】
円筒の半径５０１を減らすような方法で、ステント・ストランド５１２の歯の形状及びトラック・アンド・ロック機構５０２の歯の形状がはステント・ストランド５１２の移動を防止する。つまり、例えばバルーンカテーテルシステム（図示せず）のように展開したときに、ステントが完全に伸びきって最終的な半径に達した状態で係止されるのである。
【０１１７】
以上のように、さまざまなステントの実施例が電磁干渉若しくは電磁障害の排除を達成する。換言すれば、ステントは反アンテナ幾何形状を有し、この反アンテナ幾何形状が医療用ステントのイメージング・アーチファクトの形成を防止し且つ／又はステント内のボリュームの画像化を可能とするのである。
【０１１８】
上記したさまざまな実施例は医療用ステントについて記載されてきたが、さまざまな概念及び本発明の態様は、そのまま他の装置及び用途に適用できる。
【０１１９】
例えば、本発明のさまざまな概念による導電性材料のパターンは、例えば磁気放射イメージング（ＭＲＩ）及び／又はラジオ周波数放射の如く、通常状況下ではイメージング・アーチファクト及び／又はイメージング工程に応答する熱を生成する導電体構造を有する医療装置において使われ得て、医療装置におけるイメージング・アーチファクトを除去し及び熱抵抗を与えるのである。より詳細には、本発明のさまざまな概念による導電性材料のパターンは、イメージング・アーチファクトの生成の防止、且つ、医師の手袋若しくは衣類による熱抵抗のために用いられえる。
【０１２０】
本発明のさまざまな実施例が図面と共に記載されてきたが、本発明の趣旨及び範囲は本明細書の発明の詳細な説明及び図面によって限定されることはなく、さまざまな変更態様に及ぶことが当業者であれば認識されることであろう。
【図面の簡単な説明】
【０１２１】
【図１】可変磁場中の２つの導電体ループの図である。
【図２】可変磁場中の「８の字」の導電体の図である。
【図３】本発明の概念によるステントの１つの実施例の図である。
【図４】本発明の概念によるステントの他の実施例の図である。
【図５】本発明の概念によるステントの他の実施例の図である。
【図６】本発明の概念によるステントの他の実施例の図である。
【図７】本発明の概念による曲面ステントメッシュの図である。
【図８】本発明の概念による「Ｚ」字形状ストランドによるステントメッシュの図である
【図９】本発明の概念による「Ｚ」字形状ストランドによるステントメッシュの図である。
【図１０】本発明の概念によるステントメッシュの１つの実施例の図である。
【図１１】本発明の概念によるステントメッシュの交差点ノードの図である。
【図１２】本発明の概念によるステントメッシュの交差点ノードの図である。
【図１３】本発明の概念によるステントの実施例の図である。
【図１４】外部ＲＦエネルギーを与えて加熱した身体内のステントを示す図である。
【図１５】本発明の概念による被覆されたステントの断面図である。
【図１６】本発明の概念による医療用ステントの製造ステップの図である。
【図１７】本発明の概念による医療用ステントの製造ステップの図である。
【図１８】本発明の概念による医療用ステントの製造ステップの図である。
【図１９】本発明の概念による医療用ステントの製造ステップの図である。
【図２０】本発明の概念による医療用ステントの製造ステップの図である。
【図２１】本発明の概念による医療用ステントの製造ステップの図である。
【図２２】本発明の概念により製造されるステントの平板導電性織物シート材料の使用の図である。
【図２３】本発明の概念により製造されるステントの平板導電性織物シート材料の使用の図である。
【図２４】本発明の概念により製造されるステントの平板導電性織物シート材料の使用の図である。
【図２５】本発明の概念による伸縮自在ステントのロック機構の図である。
【図２６】本発明の概念による伸縮自在ステントのロック機構の図である。
【図１】
2007503260.tif 000003
【図２】
2007503260.tif 000004
【図３】
2007503260.tif 000005
【図４】
2007503260.tif 000006
【図５】
2007503260.tif 000007
【図６】
2007503260.tif 000008
【図７】
2007503260.tif 000009
【図８】
2007503260.tif 000010
【図９】
2007503260.tif 000011
【図１０】
2007503260.tif 000012
【図１１】
2007503260.tif 000013
【図１２】
2007503260.tif 000014
【図１３】
2007503260.tif 000015
【図１４】
2007503260.tif 000016
【図１５】
2007503260.tif 000017
【図１６】
2007503260.tif 000018
【図１７】
2007503260.tif 000019
【図１８】
2007503260.tif 000020
【図１９】
2007503260.tif 000021
【図２０】
2007503260.tif 000022
【図２１】
2007503260.tif 000023
【図２２】
2007503260.tif 000024
【図２３】
2007503260.tif 000025
【図２４】
2007503260.tif 000026
【図２５】
2007503260.tif 000027
【図２６】
2007503260.tif 000028
【手続補正書】
【提出日】平成18年2月8日(2006.2.8)
【手続補正１】
【補正対象書類名】特許請求の範囲
【補正対象項目名】全文
【補正方法】変更
【補正の内容】
【特許請求の範囲】
【請求項１】
導電性材料のパターンからなる医療用ステントであって、前記導電性材料のパターンは実質的にイメージング・アーチファクトを生じないとともに、内部のボリュームの画像化を可能とする反アンテナ形状を有することを特徴とする医療用ステント。
【請求項２】
前記パターンは、複数の「８の字」形状の導電体によって形成されていることを特徴とする請求項１記載の医療用ステント。
【請求項３】
前記パターンは、複数の「８の字」相当形状の導電体によって形成されていることを特徴とする請求項１記載の医療用ステント。
【請求項４】
前記パターンは、複数のサイン波相当形状の導電体によって形成されていることを特徴とする請求項１記載の医療用ステント。
【請求項５】
前記パターンは、複数のジグザグパターンの導電体によって形成されていることを特徴とする請求項１記載の医療用ステント。
【請求項６】
前記パターンは、複数の導電体によって形成されており、前記導電体の各々は連続した導電体ループを有することを特徴とする請求項１記載の医療用ステント。
【請求項７】
前記パターンはループメッシュに織られた単一の導電体によって形成され、前記ループメッシュは、２つ以上の連続した「８の字」形状の導電体ループ対を形成していることを特徴とする請求項１記載の医療用ステント。
【請求項８】
前記導電性材料は交差点を形成して、前記交差点には前記導電性材料の交差による短絡を防止するような絶縁結合材料を更に含むことを特徴とする請求項１記載の医療用ステント。
【請求項９】
前記絶縁結合材料は、前記導電性材料の前記パターンに構造的な支持を与えることを特徴とする請求項８記載の医療用ステント。
【請求項１０】
前記単一の導電体は、第１のループ／方向変化パターン／第２のループパターンを形成するように形づくられ、前記ループ／方向変化パターン／ループパターンフローの前記第１のループに誘導される電流は、前記第２のループに誘導される電流と実質的に同じ大きさで且つ反対方向であることを特徴とする請求項７記載の医療用ステント。
【請求項１１】
前記第１のループ／方向変化パターン／第２のループパターンは、第１のループ／半ヒッチ／第２のループパターンであって、前記方向変化パターンはハーフヒッチパターンであることを特徴とする請求項１０記載の医療用ステント。
【請求項１２】
前記第１のループ／方向変化パターン／第２のループパターンは、前記医療用ステントの長さ方向に沿って繰り返されることを特徴とする請求項１０記載の医療用ステント。
【請求項１３】
導電性材料のパターンを含む導電体構造であって、前記導電性材料のパターンは実質的にイメージング・アーチファクトを生じないとともに、内部のボリュームの画像化を可能とする反アンテナ形状を有することを特徴とする導電体構造。
【請求項１４】
導電性材料のパターンを含む医療用ステントであって、前記導電性材料のパターンは導電体構造によって実質的にイメージング・アーチファクトを生じないとともに、前記導電体構造の内部のボリュームの画像化を可能とすることを特徴とする医療用ステント。
【請求項１５】
前記導電性材料は熱を与えられて拡張可能となるように構成されており、前記導電性材料の拡張により前記医療用ステントの半径が増加することを特徴とする請求項１４記載の医療用ステント。
【請求項１６】
前記導電性材料が前記医療用ステントの半径を減じるように動くことを実質的に防止するように前記導電性材料の形状に実質的に適合する形状のトラック・アンド・ロック機構を更に含むことを特徴とする請求項１５記載の医療用ステント。
【請求項１７】
複数のリンクからなる医療用ステントであって、各リンクは円筒形状医療用ステントを形作るように互いに接続されて、各リンクは熱を加えることにより拡張可能な形状であって、前記リンクの拡張によって前記医療用ステントの半径が増加することを特徴とする医療用ステント。
【請求項１８】
前記リンクの形状に実質的に適合した形状を有し、実質的に前記リンクが前記医療用ステントの半径を減じるような動きを防止するトラック・アンド・ロック機構を更に含むことを特徴とする請求項１７記載の医療用ステント。
【国際調査報告】
2007503260.tif 000029